【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
プライベートネットワークの複数のエンドポイントのうちの１つのエンドポイントとターゲットのコールプロバイダとの間の、その間に結合されたインターネットプロトコル（ＩＰ）ネットワークを経由する通信リンクの迅速な確立を容易にする方法であって、前記複数のエンドポイントの各々は、前記確立された通信リンクを経由して前記コールプロバイダにヒューマンインタラクティブメディアアプリケーションサービスを提供するように構成されており、前記方法は、
少なくとも１つのネットワークインタフェースに結合された前記複数のエンドポイントの各々に割り当てられる、内部エンドポイントアドレス対外部エンドポイントアドレスの静的１対１のマップを維持することと、
前記複数のエンドポイントのうちの１つのエンドポイントに代わって内部ＳＩＰ呼要求を生成することであって、前記内部ＳＩＰ呼要求は、前記複数のエンドポイントのうちの前記１つのエンドポイントに割り当てられる内部エンドポイントアドレスおよび前記ターゲットのコールプロバイダを含むリンク特性を特定する、ことと、
前記静的１対１のマップを用いて、内部で生成されたＳＩＰ呼要求の前記内部エンドポイントアドレスを外部エンドポイントアドレスに変換することと、
前記特定された内部エンドポイントアドレスを前記変換された外部エンドポイントアドレスに置き換えることによって前記内部で生成された呼要求を修正することと、
前記ＩＰネットワークを経由して、前記プライベートネットワークから前記ターゲットのコールプロバイダに前記修正されたＳＩＰ呼要求を送信することと、
前記ターゲットのコールプロバイダが前記修正された呼要求を受け入れる場合、前記変換された外部エンドポイントアドレスを前記複数のエンドポイントのうちの前記１つのエンドポイントに転送することであって、前記エンドポイントは、前記呼が終了するまでに、前記ＩＰネットワークを経由して前記コールプロバイダと直接に通信するために、前記変換された外部アドレスを使用する、ことと
を含む、方法。
【請求項２】
前記複数のエンドポイントの各々は、少なくとも１つのネットワークインタフェースを介して前記ＩＰネットワークに結合され、
前記少なくとも１つのネットワークインタフェースは、それに結合された前記複数のエンドポイントの各々に対して前記静的１対１のマップを維持する、請求項１に記載の方法。
【請求項３】
前記複数のエンドポイントの各々は、直接的な接続を介して前記少なくとも１つのネットワークインタフェースに結合され、少なくとも１つのＳＩＰルータを介して前記少なくとも１つのネットワークインタフェースにさらに結合され、
前記少なくとも１つのネットワークインタフェースは、前記少なくとも１つのＳＩＰルータに結合された前記複数のエンドポイントの各々に対して、前記静的１対１のマップの少なくとも一部を前記少なくとも１つのＳＩＰルータに伝播する、請求項２に記載の方法。
【請求項４】
前記少なくとも１つのＳＩＰルータは、前記変換すること、前記修正することおよび前記送信することを実行する、請求項３に記載の方法。
【請求項５】
前記静的１対１のマップの前記少なくとも一部は、前記変換すること、前記修正することおよび前記送信することを実行するように要求される前に、前記少なくとも１つのＳＩＰルータに伝播される、請求項４に記載の方法。
【請求項６】
前記複数のエンドポイントのうちの前記１つのエンドポイントは、前記少なくとも１つのネットワークインタフェースへの前記直接的な接続を介する前記ＩＰネットワークを経由して前記コールプロバイダと直接に通信する、請求項３に記載の方法。
【請求項７】
前記内部で生成されたＳＩＰ呼要求は、ジョブ開始サービスによって開始される、請求項１に記載の方法。
【請求項８】
前記修正することは、前記内部で生成されたＳＩＰ呼要求のＳＩＰヘッダ内において前記特定された内部エンドポイントアドレスを前記変換された外部エンドポイントアドレスに置き換えることをさらに含む、請求項１に記載の方法。
【請求項９】
内部エンドポイントアドレス対外部エンドポイントアドレスの前記静的１対１のマップは、前記少なくとも１つのエンドポイントの各々に対するポート割り当てを含む、請求項１に記載の方法。
【請求項１０】
コールプロバイダとプライベートネットワークの複数のエンドポイントのうちの１つのエンドポイントとの間の、その間に結合されたインターネットプロトコル（ＩＰ）ネットワークを経由する通信リンクの迅速な確立を容易にする方法であって、前記複数のエンドポイントの各々は、前記確立された通信リンクを経由して前記コールプロバイダにヒューマンインタラクティブメディアアプリケーションサービスを提供するように構成されており、前記方法は、
少なくとも１つのネットワークインタフェースに結合された前記複数のエンドポイントの各々に割り当てられる、内部エンドポイントアドレス対外部エンドポイントアドレスの静的１対１のマップを維持することと、
前記ＩＰネットワークを経由して前記コールプロバイダから前記プライベートネットワークへのＳＩＰ呼要求を受信することであって、前記ＳＩＰ呼要求は、外部エンドポイントアドレスを含むリンク特性を特定する、ことと、
前記静的１対１のマップを用いて、前記受信されたＳＩＰ呼要求の前記外部エンドポイントアドレスを内部エンドポイントアドレスに変換することと、
前記ＳＩＰ呼要求を、前記内部エンドポイントアドレスに割り当てられる前記複数のエンドポイントのうちの１つのエンドポイントにルーティングすることと、
前記割り当てられたエンドポイントが前記呼要求を受け入れる場合、前記呼要求において特定される前記外部エンドポイントアドレスを前記エンドポイントに転送することであって、前記エンドポイントは、前記呼が終了するまでに、前記ＩＰネットワークを経由して前記コールプロバイダと直接に通信するために、前記外部アドレスを使用する、ことと
を含む、方法。
【請求項１１】
前記複数のエンドポイントの各々は、少なくとも１つのネットワークインタフェースを介して前記ＩＰネットワークに結合され、
前記少なくとも１つのネットワークインタフェースは、それに結合された前記複数のエンドポイントの各々に対して前記静的１対１のマップを維持することを実行する、請求項１０に記載の方法。
【請求項１２】
前記複数のエンドポイントの各々は、直接的な接続を介して前記少なくとも１つのネットワークインタフェースに結合され、少なくとも１つのＳＩＰルータを介して前記少なくとも１つのネットワークインタフェースにさらに結合され、
前記少なくとも１つのネットワークインタフェースは、前記少なくとも１つのＳＩＰルータに結合された前記複数のエンドポイントの各々に対して、前記静的１対１のマップの少なくとも一部を前記少なくとも１つのＳＩＰルータに伝播する、請求項１１に記載の方法。
【請求項１３】
前記受信することは、前記少なくとも１つのネットワークインタフェースによって実行され、前記受信することは、
前記ネットワークインタフェースによって維持される前記静的１対１のマップを用いて、前記受信されたＳＩＰ呼要求の前記外部エンドポイントアドレスを内部アドレスに変換することと、
前記変換された内部アドレスに基づいて前記ＳＩＰ呼要求を前記少なくとも１つのＳＩＰルータにルーティングすることと
をさらに含む、請求項１０に記載の方法。
【請求項１４】
前記少なくとも１つのＳＩＰルータは、前記変換すること、前記ルーティングすることおよび前記転送することを実行する、請求項１０に記載の方法。
【請求項１５】
前記静的１対１のマップの前記少なくとも一部は、前記変換すること、前記ルーティングすることおよび前記転送することを実行するように要求される前に、前記少なくとも１つのＳＩＰルータに伝播される、請求項１４に記載の方法。
【請求項１６】
前記複数のエンドポイントのうちの前記１つのエンドポイントは、前記少なくとも１つのネットワークインタフェースへの前記直接的な接続を介する前記ＩＰネットワークを経由して前記コールプロバイダと直接に通信する、請求項１２に記載の方法。
【請求項１７】
内部エンドポイントアドレス対外部エンドポイントアドレスの前記静的１対１のマップは、前記少なくとも１つのエンドポイントの各々に対するポート割り当てを含む、請求項１０に記載の方法。
【請求項１８】
コールプロバイダとプライベートネットワークの複数のエンドポイントのうちの１つのエンドポイントとの間の、その間に結合されたインターネットプロトコル（ＩＰ）ネットワークを経由する通信リンクの迅速な確立を容易にするシステムであって、前記複数のエンドポイントの各々は、前記確立された通信リンクを経由して前記コールプロバイダにヒューマンインタラクティブメディアアプリケーションサービスを提供するように構成されており、前記システムは、
少なくとも１つのネットワークインタフェースに結合された前記複数のエンドポイントの各々に割り当てられる、内部エンドポイントアドレス対外部エンドポイントアドレスの静的１対１のマップを維持する手段と、
前記ＩＰネットワークを経由して前記コールプロバイダから前記プライベートネットワークへのＳＩＰ呼要求を受信する手段であって、前記ＳＩＰ呼要求は、外部エンドポイントアドレスを含むリンク特性を特定する、手段と、
前記静的１対１のマップを用いて、前記受信されたＳＩＰ呼要求の前記外部エンドポイントアドレスを内部エンドポイントアドレスに変換する手段と、
前記ＳＩＰ呼要求を、前記内部エンドポイントアドレスに割り当てられる前記複数のエンドポイントのうちの１つのエンドポイントにルーティングする手段と、
前記割り当てられたエンドポイントが前記呼要求を受け入れる場合、前記呼要求において特定される前記外部エンドポイントアドレスを前記エンドポイントに転送する手段であって、前記エンドポイントは、前記呼が終了するまでに、前記ＩＰネットワークを経由して前記コールプロバイダと直接に通信するために、前記外部アドレスを使用する、手段と
を含む、システム。
【請求項１９】
前記受信する手段は、
前記ネットワークインタフェースによって維持される前記静的１対１のマップを用いて、前記受信されたＳＩＰ呼要求の前記外部エンドポイントアドレスを内部アドレスに変換する手段と、
前記変換された内部アドレスに基づいて前記ＳＩＰ呼要求を前記少なくとも１つのＳＩＰルータにルーティングする手段と
をさらに含む、請求項１８に記載のシステム。
【手続補正２】
【補正対象書類名】明細書
【補正対象項目名】発明の名称
【補正方法】変更
【補正の内容】
【発明の名称】あらかじめ分散された静的ネットワークアドレス変換マップを用いることによりプライベートＳＩＰベースのＩＰネットワークとのヒューマン／マシン通信リンクの迅速な確立の容易化
【手続補正３】
【補正対象書類名】明細書
【補正対象項目名】００２４
【補正方法】変更
【補正の内容】
【００２４】
さらに別の実施形態では、複数のネットワークアドレス変換（ＮＡＴ）ルータがＳＩＰ内部ルータに結合し、各ＮＡＴルータは、複数のＥＰのうちの各ＥＰに対する外部アドレスとの内部アドレスの関連付けを示すあらかじめ構成されたマップを含む。ＳＩＰ内部ルータは複数のＳＩＰ内部ルータのうちの１つであり、各ＳＩＰ内部ルータは、あらかじめ構成されたマップを含む。
本願明細書は、例えば、以下の項目も提供する。
（項目１）
ヒューマンインタラクティブメディアのための通信リンクを確立するための方法であって、
セッション開始プロトコル（ＳＩＰ）内部ルータによって実行される、ＳＩＰ呼要求をエンドポイント（ＥＰ）から受信することと、
前記ＳＩＰ内部ルータによって実行される、前記ＥＰの内部アドレスに基づいて外部アドレスを決定することであって、
各ＥＰが複数のＥＰのうちの１つであり、
各ＥＰが、外部アドレスに一意にマップされたあらかじめ構成された内部アドレスを有する、ことと、
前記ＳＩＰ内部ルータによって実行される、前記ＥＰの内部アドレスを前記ＥＰの外部アドレスに置き換えるために前記ＳＩＰ呼要求の内容を修正することと、
前記修正されたＳＩＰ呼要求を、前記ＳＩＰ呼要求で識別されたコールプロバイダに送信することと、
前記ＳＩＰ内部ルータによって実行される、前記コールプロバイダが前記ＳＩＰ呼要求を受け入れる場合、前記ＥＰに前記ＥＰの外部アドレスを転送することと、
前記ＥＰと前記コールプロバイダの間にヒューマンインタラクティブメディアのための通信リンクを確立することであって、
前記ＥＰが前記ＥＰの外部アドレスを使用し、
前記通信リンクが前記ＳＩＰ内部ルータを含まない、ことと
を含む方法。
（項目２）
前記ＳＩＰ内部ルータが、前記複数のＥＰのうちの各ＥＰに対する外部アドレスとの内部アドレスの一意の関連付けを示すあらかじめ構成されたマップを含む、項目１に記載の方法。
（項目３）
前記ＳＩＰ内部ルータに結合されたネットワークアドレス変換（ＮＡＴ）ルータであって、前記複数のＥＰのうちの各ＥＰに対する外部アドレスとの内部アドレスの一意の関連付けを示すあらかじめ構成されたマップを含むＮＡＴルータと、
前記ＮＡＴルータによって実行される、前記ＥＰの内部アドレスを前記外部アドレスに置き換えるための前記ＳＩＰ内部ルータからの前記修正された呼要求のソース情報を変換することと、
前記ＮＡＴルータによって実行される、前記コールプロバイダに前記修正および変換された呼要求を転送することと、
前記ＮＡＴルータによって実行される、前記ＥＰと前記コールプロバイダの間の前記通信リンクを容易にすることと
をさらに含む、項目１に記載の方法。
（項目４）
前記ＳＩＰ内部ルータが複数のＳＩＰ内部ルータのうちの１つであり、各ＳＩＰ内部ルータが、前記複数のＥＰのうちの各ＥＰに対する外部アドレスとの内部アドレスの一意の関連付けを示すあらかじめ構成されたマップを含む、項目１に記載の方法。
（項目５）
複数のネットワークアドレス変換（ＮＡＴ）ルータが前記ＳＩＰ内部ルータに結合し、各ＮＡＴルータが、前記複数のＥＰのうちの各ＥＰに対する外部アドレスとの内部アドレスの一意の関連付けを示すあらかじめ構成されたマップを含む、項目１に記載の方法。
（項目６）
複数のネットワークアドレス変換（ＮＡＴ）ルータが前記ＳＩＰ内部ルータに結合し、
各ＮＡＴルータが、前記複数のＥＰのうちの各ＥＰに対する外部アドレスとの内部アドレスの一意の関連付けを示すあらかじめ構成されたマップを含み、
前記ＳＩＰ内部ルータが、複数のＳＩＰ内部ルータのうちの１つであり、
各ＳＩＰ内部ルータが、前記複数のＥＰのうちの各ＥＰに対する外部アドレスとの内部アドレスの一意の関連付けを示すあらかじめ構成されたマップを含む、
項目１に記載の方法。
（項目７）
複数のネットワークアドレス変換（ＮＡＴ）ルータが前記ＳＩＰ内部ルータに結合し、
各ＮＡＴルータが、前記複数のＥＰのうちの各ＥＰに対する外部アドレスとの内部アドレスの一意の関連付けを示すあらかじめ構成されたマップを含み、
前記ＳＩＰ内部ルータが、複数のＳＩＰ内部ルータのうちの１つであり、
各ＳＩＰ内部ルータが、前記あらかじめ構成されたマップを含み、
各ＳＩＰ内部ルータが、アドレスが前記マップに示されているＥＰのサブセットに専用のものである、
項目１に記載の方法。
（項目８）
ヒューマンインタラクティブメディアのための通信リンクを確立するための方法であって、
セッション開始プロトコル（ＳＩＰ）内部ルータによって実行される、ＳＩＰ呼要求をコールプロバイダから受信することと、
前記ＳＩＰ呼要求に基づいて複数のエンドポイント（ＥＰ）のうちの１つのＥＰを選択することと、
前記ＳＩＰ内部ルータによって実行される、前記ＥＰの内部アドレスを決定することであって、
各ＥＰが複数のＥＰのうちの１つであり、
各ＥＰが、外部アドレスに一意にマップされたあらかじめ構成された内部アドレスを有する、ことと、
前記ＳＩＰ内部ルータによって実行される、前記選択されたＥＰが前記ＳＩＰ呼要求の受け入れに使用可能かどうかを判断することと、
前記ＳＩＰ内部ルータによって実行される、前記選択されたＥＰが前記ＳＩＰ呼要求の受け入れに使用可能である場合、前記ＥＰに前記ＥＰの外部アドレスを転送することと、
前記コールプロバイダにヒューマンインタラクティブメディアのための通信パケットを送信することであって、
前記ＥＰが前記ＥＰの外部アドレスを使用し、
前記通信リンクが前記ＳＩＰ内部ルータを含まない、ことと
を含む、方法。
（項目９）
前記ＳＩＰ内部ルータが、前記複数のＥＰのうちの各ＥＰに対する外部アドレスとの内部アドレスの関連付けを示すあらかじめ構成されたマップを含む、項目８に記載の方法。
（項目１０）
前記ＳＩＰ内部ルータに結合されたネットワークアドレス変換（ＮＡＴ）ルータであって、前記複数のＥＰのうちの各ＥＰに対する外部アドレスとの内部アドレスの一意の関連付けを示すあらかじめ構成されたマップを含むＮＡＴルータと、
前記ＮＡＴルータによって実行される、前記ＥＰの内部アドレスを前記外部アドレスに置き換えるための前記ＳＩＰ内部ルータからの前記修正された呼要求のソース情報を変換することと、
前記ＮＡＴルータによって実行される、前記コールプロバイダに前記修正および変換された呼要求を転送することと、
前記ＮＡＴルータによって実行される、前記ＥＰと前記コールプロバイダの間の前記通信リンクを容易にすることと
をさらに含む、項目８に記載の方法。
（項目１１）
前記ＳＩＰ内部ルータが複数のＳＩＰ内部ルータのうちの１つであり、各ＳＩＰ内部ルータが、前記複数のＥＰのうちの各ＥＰに対する外部アドレスとの内部アドレスの関連付けを示すあらかじめ構成されたマップを含む、項目８に記載の方法。
（項目１２）
複数のネットワークアドレス変換（ＮＡＴ）ルータが前記ＳＩＰ内部ルータに結合し、各ＮＡＴルータが、前記複数のＥＰのうちの各ＥＰに対する外部アドレスとの内部アドレスの関連付けを示すあらかじめ構成されたマップを含む、項目８に記載の方法。
（項目１３）
複数のネットワークアドレス変換（ＮＡＴ）ルータが前記ＳＩＰ内部ルータに結合し、
各ＮＡＴルータが、前記複数のＥＰのうちの各ＥＰに対する外部アドレスとの内部アドレスの関連付けを示すあらかじめ構成されたマップを含み、
前記ＳＩＰ内部ルータが、複数のＳＩＰ内部ルータのうちの１つであり、
各ＳＩＰ内部ルータが、前記複数のＥＰのうちの各ＥＰに対する外部アドレスとの内部アドレスの関連付けを示すあらかじめ構成されたマップを含む、
項目８に記載の方法。
（項目１４）
複数のネットワークアドレス変換（ＮＡＴ）ルータが前記ＳＩＰ内部ルータに結合し、
各ＮＡＴルータが、前記複数のＥＰのうちの各ＥＰに対する外部アドレスとの内部アドレスの関連付けを示すあらかじめ構成されたマップを含み、
前記ＳＩＰ内部ルータが、複数のＳＩＰ内部ルータのうちの１つであり、
各ＳＩＰ内部ルータが、前記あらかじめ構成されたマップを含み、
各ＳＩＰ内部ルータが、前記マップに含まれるアドレスを有するＥＰのサブセットに専用のものである、
項目８に記載の方法。
（項目１５）
ヒューマンインタラクティブメディアのための通信リンクを確立するための装置であって、
複数のエンドポイント（ＥＰ）であって、
各ＥＰが、あらかじめ構成された一意の内部アドレスと、一意の外部アドレスとを有し、
各ＥＰが、呼要求を送信するように構成され、
各呼要求が、ターゲットを示し、
前記送信元ＥＰの前記内部アドレスを含む、複数のＥＰと、
前記複数のＥＰに結合されたＳＩＰ内部ルータであって、
前記ＳＩＰ内部ルータが、各ＥＰの内部アドレスおよび外部アドレスを示すあらかじめ構成されたマップを含み、
前記ＳＩＰ内部ルータが、前記呼要求を送信する前記ＥＰの前記内部アドレスを前記ＥＰの前記外部アドレスに置き換えるために各呼要求を修正するように構成される、ＳＩＰ内部ルータと、
前記ＳＩＰ内部ルータおよび前記複数のＥＰに結合されたネットワークアドレス変換（ＮＡＴ）ルータであって、
前記ＮＡＴルータが、各修正された呼要求を、前記呼要求に示された前記ターゲットに送信するように構成され、
前記ＮＡＴルータが、前記ターゲットから応答を受信するようにさらに構成され、
前記応答が、前記ターゲットが前記呼要求を受け入れるかどうかを示し、
前記ＮＡＴルータが、前記ＳＩＰ内部ルータに前記応答を送信するようにさらに構成される、ＮＡＴルータと
を備え、
前記ＳＩＰ内部ルータが、前記応答に対応する前記呼要求を送信する前記ＥＰにその応答および前記外部アドレスを送信するようにさらに構成され、
前記ＥＰが、前記ターゲットにヒューマンインタラクティブメディアのための通信パケットを送信するようにさらに構成され、
前記通信パケットが前記外部アドレスを含み、
前記ＳＩＰ内部ルータが、前記通信パケットを受信しない、装置。
（項目１６）
前記ＳＩＰ内部ルータが、前記複数のＥＰのうちの各ＥＰに対する外部アドレスとの内部アドレスの関連付けを示すあらかじめ構成されたマップを含む、項目１５に記載の装置。
（項目１７）
前記ＮＡＴルータが、前記複数のＥＰのうちの各ＥＰに対する外部アドレスとの内部アドレスの関連付けを示すあらかじめ構成されたマップを含む、項目１５に記載の装置。
（項目１８）
前記ＳＩＰ内部ルータが複数のＳＩＰ内部ルータのうちの１つであり、各ＳＩＰ内部ルータが、前記複数のＥＰのうちの各ＥＰに対する外部アドレスとの内部アドレスの関連付けを示すあらかじめ構成されたマップを含む、項目１５に記載の装置。
（項目１９）
複数のネットワークアドレス変換（ＮＡＴ）ルータが前記ＳＩＰ内部ルータに結合し、各ＮＡＴルータが、前記複数のＥＰのうちの各ＥＰに対する外部アドレスとの内部アドレスの関連付けを示すあらかじめ構成されたマップを含む、項目１５に記載の装置。
（項目２０）
複数のネットワークアドレス変換（ＮＡＴ）ルータが前記ＳＩＰ内部ルータに結合し、
各ＮＡＴルータが、前記複数のＥＰのうちの各ＥＰに対する外部アドレスとの内部アドレスの関連付けを示すあらかじめ構成されたマップを含み、
前記ＳＩＰ内部ルータが、複数のＳＩＰ内部ルータのうちの１つであり、
各ＳＩＰ内部ルータが、前記あらかじめ構成されたマップを含む、
項目１５に記載の装置。